(57)【要約】  上部にストラップハンドルが付けられるように変形された荷物用ストラップハンドル。ストラップハンドルは、ストラップ、荷物の上部にストラップハンドルを付ける為の装置を含む。装置は、荷物の内部に位置する。ストラップは、その装置の中へと係合する。【選択図】  図１
2013537459.tif 000002
【特許請求の範囲】
【請求項１】
上部にストラップハンドルが付けられるように変形された荷物用ストラップハンドルであって、
ａ）ストラップと、
ｂ）前記荷物に前記ストラップハンドルを付ける為の手段と、
を備え、
前記ストラップは、前記手段の中へと係合し、
前記手段は、前記荷物の内部に位置する、ハンドル。
【請求項２】
前記ストラップは、スレンダーであり、前記ストラップは、細長く、薄い、請求項１に記載のハンドル。
【請求項３】
前記ストラップは、一対の端部を有し、前記ストラップの前記一対の端部は、それら自体へと下方に湾曲し、それぞれ、一対のスリーブを形成する、請求項１に記載のハンドル。
【請求項４】
前記手段は、一対のベースプレートを含む、請求項３に記載のハンドル。
【請求項５】
前記手段の前記一対のベースプレートは、前記荷物の内部に位置する、請求項４に記載のハンドル。
【請求項６】
前記手段は、一対のブラケットを含む、請求項４に記載のハンドル。
【請求項７】
前記手段の前記一対のブラケットは、前記手段の前記一対のベースプレート内に位置し、
前記手段の前記一対のブラケットは、前記荷物の内部にある、請求項６に記載のハンドル。
【請求項８】
前記手段の各々のブラケットは、一対のベアリングキャップを有する、請求項６に記載のハンドル。
【請求項９】
前記手段の各ブラケットの前記一対のベアリングキャップは、前記手段の関連したベースプレートから上方に伸び、
前記手段の各ブラケットの前記一対のベアリングキャップは、前記手段の関連したベースプレートから離れて伸びる、請求項８に記載のハンドル。
【請求項１０】
前記手段は、一対のチューブを含む、請求項８に記載のハンドル。
【請求項１１】
前記手段の前記一対のチューブは、それぞれ、前記ストラップの前記一対の端部の前記一対のスリーブ内で伸びる、請求項１０に記載のハンドル。
【請求項１２】
前記手段は、一対のピボットピンを含む、請求項１０に記載のハンドル。
【請求項１３】
前記手段の各ピボットピンは、前記手段の関連したブラケットの前記一対のベアリングキャップを通って伸び、
前記手段の各ピボットピンは、前記手段の関連したチューブを通って伸びる、請求項１２に記載のハンドル。
【請求項１４】
前記手段は、一対の端部キャップを含む、請求項６に記載のハンドル。
【請求項１５】
前記手段の前記一対の端部キャップは、それぞれ、前記ストラップの前記一対の端部をキャップオフし、それぞれ、前記手段の前記一対のブラケットと係合することにより、そこに保持される、請求項１４に記載のハンドル。
【発明の詳細な説明】
【発明の背景】
【０００１】
Ａ．発明の分野
【０００２】
本発明の実施形態は、荷物用ストラップハンドルに関し、本発明の実施形態は、上部にストラップハンドルを付ける為に変形された荷物の為のストラップハンドルに関する。
Ｂ．従来技術の説明
【０００３】
従来技術において、荷物用ハンドルの為に多くのイノベーションが提供されてきた。
たとえ、これらのイノベーションが特定の目的に適していても、それらは、上部に閉環型ストラップハンドルを交換できるように付ける為に変形された荷物の為に閉環型ストラップハンドルを教示していないという点で、本発明の実施形態とは異なる。
【発明の概要】
【０００４】
そのため、本発明の実施形態は、上部にストラップハンドルを付けるように変形された荷物用ストラップハンドルを提供することを目的とする。
【０００５】
要約すると、本発明の実施形態の他の目的は、上部にストラップハンドルを付けるように変形された荷物の為に、ストラップハンドルを提供することである。ストラップハンドルは、ストラップ、荷物にストラップハンドルを付ける為の装置を含む。この装置は、荷物の内部に位置する。ストラップは、この装置に入って係合する。
【０００６】
本発明の実施形態の特徴が考慮された新規な特徴は、添付された特許請求の範囲に説明されている。しかしながら、本発明自体の実施形態は、その追加の目的及び利点を伴い、その構成と、その作動方法の両方に関し、添付された図面と共に読んで理解するとき、以下の特定の実施形態の説明から最もよく理解されよう。
【図面の簡単な説明】
【０００７】
【図１】図１は、上部にストラップハンドルが付けられるように変形された荷物における本発明の実施形態のストラップハンドルの概略の斜視図である。
【図２】図２は、図１の参照符号２により識別される本発明の実施形態のストラップハンドルの概略の斜視図である。
【図３】図３は、図２に示される本発明の実施形態のストラップハンドルの、縮小された分解斜視図である。
【好ましい実施形態の詳細な説明】
【０００８】
Ａ．全般
【０００９】
以下、同一符号が同一部品を指している図、特に、上部にストラップハンドルを交換できるように付ける為に変形された荷物における本発明の実施形態のストラップハンドルの概略の斜視図である図１を参照して、上部にストラップハンドルが付けられるように変形された荷物１２の為に、本発明の実施形態のストラップハンドルが１０で一般的に示される。
Ｂ．ストラップハンドル１０の全体構成
【００１０】
ストラップハンドル１０は、ストラップ１４と，荷物１２にストラップハンドル１０を付ける為の装置１６を備える。
装置１６は、荷物１２の内部に位置する。
ストラップ１４は、装置１６に入って係合する。
Ｃ．ストラップ１４及び装置１６の特別構成
【００１１】
ストラップ１４と装置１６の特別な構成は、図２及び図３に最もよく見られるが、図２は、図１において参照符号２で識別される本発明の実施形態のストラップハンドルの概略の斜視図であり、図３は、図２に示される本発明の実施形態のストラップハンドルの縮小された分解斜視図であり、以下、これらの図を参考にして検討する。
（１）ストラップ１４の特別構成
【００１２】
ストラップ１４は、スレンダーであり、細長く、薄いが、一対の端部１８を有する。
ストラップ１４の一対の端部１８は、それらにくっついて下方に湾曲し、それぞれ、一対のスリーブ２０を形成する。
（２）装置１６の特別構成
【００１３】
装置１６は、一対のベースプレート２８を備える。装置１６の一対のベースプレート２８は、荷物１２の内部に位置する。
【００１４】
装置１６は、更に、一対のブラケット３０を備える。装置１６の一対のブラケット３０は、それぞれ、装置１６の一対のベースプレート２８内に位置し、荷物１２の内部にある。
【００１５】
装置１６の各ブラケット３０は、一対のベアリングキャップ３４を有する。装置１６の各ブラケット３０の一対のベアリングキャップ３４は、装置１６の関連するベースプレート２８から離れて上方に伸びている。
【００１６】
装置１６は、更に、一対のチューブ３６を備える。装置１６の一対のチューブ３６は、それぞれ、ストラップ１４の一対の端部１８の一対のスリーブ２０内に伸びている。
【００１７】
装置１６は、更に、一対のピボットピン４０を備える。装置１６の各ピボットピン４０は、装置１６の関連したブラケット３０の一対のベアリングキャップ３４を通って伸びている。
【００１８】
装置１６は、更に、一対の端部キャップ４２を備える。装置１６の一対の端部キャップ４２は、それぞれ、ストラップ１４の一対の端部１８のキャップを外し、それぞれ、装置１６の一対のブラケット３０と係合することにより、そこで維持される。
Ｄ．効果
【００１９】
また、前述された各々又は２つ以上の要素は、共に、前述された種類とは異なる他の種類の構成において有用な用途を見つけてもよいことが理解されよう。
【００２０】
しかしながら、本発明の実施形態は、上部にストラップハンドルが交換できるように付けられる為に変形された荷物の為のストラップハンドルに具現化されるように例示され、説明されてきたが、示された詳細に限定されるものではなく、例示された本発明の実施形態の形および詳細において、様々な省略、変形、代用、変更が、本発明の実施形態の精神から、いかなる方法においても逸脱することなく、当業者によりなされ得ることが理解されよう。
【００２１】
前述したことは、更なる分析を要することなく、本発明の実施形態の要旨を十分に明らかにするものであり、第三者は、現在の知識を適用することにより、本発明の実施形態の一般的な態様又は特別な態様の特徴を従来技術の見地から実際に構成する特徴を省略することなく、容易に様々な応用に適合させることができる。
【符号の説明】
【００２２】
Ａ．全般
１０  上部にストラップハンドル１０が付けられるように変形された荷物用の本発明の実施形態のストラップハンドル
１２  荷物
Ｂ．ストラップハンドル１０の全体構成
１４  ストラップ
１６  荷物１２にストラップハンドル１０を付ける為の装置
Ｃ．ストラップ１４及び装置１６の特別構成
（１）ストラップ１４の特別構成
１８  ストラップ１４の一対の端部
（２）装置１６の特別構成
２８  装置１６の一対のベースプレート
３０  装置１６の一対のブラケット
３４  装置１６の一対のブラケット３０の各々の一対のベアリングキャップ
３６  装置１６の一対のチューブ
４０  装置１６の一対のピボットピン
４２  装置１６の一対の端部キャップ
【図１】
2013537459.tif 000003
【図２】
2013537459.tif 000004
【図３】
2013537459.tif 000005
【国際調査報告】
2013537459.tif 000006